(57)【特許請求の範囲】
【請求項１】
一端部に開口部を有する器具本体と；
開口部の周囲を覆う枠部材と；
半導体発光素子からなる光源および光源に対向して配設された配光制御手段を有し、配光
制御手段は前記開口部内に位置するように器具本体に設けられるとともに、枠部材の開口の略全体を覆うカバー部材を一体的に形成し、内表面全体に光拡散処理を施した光源部と；
器具本体内に配設されるバッテリと；
バッテリから直流電圧が入力されて光源を点灯させる点灯装置と；
バッテリの充電状態を点灯状態により表示し、外方に突出させることなく前記器具本体内に収納し、かつ前記配光制御手段の光拡散処理を施した面側に対向して配設された報知手段と；
光源が点灯することの確認を行い、操作部が器具本体の開口部内でかつ光源の光放射角よりも枠部材側に位置して配設した点検スイッチと；
を具備することを特徴とする照明装置。
【請求項２】
前記報知手段は、半導体発光素子であり、光源部の半導体発光素子と報知手段の半導体発
光素子とが共通の基板に実装されていることを特徴とする請求項１に記載の照明装置。
【発明の詳細な説明】
【技術分野】
【０００１】
本発明は、発光ダイオード等の半導体発光素子を光源とした非常灯などの照明装置に関する。
【背景技術】
【０００２】
この種の照明装置、特に非常灯は、例えば、特許文献１に示されるように、点検スイッチの操作部の構造を改良した、天井直付け形の非常灯が提案されている。また、例えば、特許文献２には、汎用性を高めた天井埋込形の非常灯が提案されている。
【０００３】
さらに、近年、光源として発光ダイオードを使用し、発光ダイオードから放射された光が所定の方向に向くようにレンズと組み合わせて構成したＬＥＤ照明器具およびＬＥＤ非常灯が提案されている（例えば、特許文献３）。
【０００４】
一方この種の非常灯は、停電時に使用されるためバッテリを電源とし、部屋を明るくするための一般照明器具とは異なり明るく照明することができない。通常この種の非常灯は１ｌｘ以上の明るさが要求されている。このため光源の光をロスなく利用することが求められている。
【０００５】
また、通常は使用しない照明装置でもあり、天井等に設置する場合には、部屋の雰囲気を壊すことなく目立たないように設置するために、器具の小型化および外観意匠的な問題を解消することが重要な課題となっている。同時に一般家庭でも手軽に使用できるよう小型化によるコストダウンも重要となっている。
【特許文献１】実開平６−５０１２号公報
【特許文献２】特開２００４−１８５８７５号公報
【特許文献３】特開２００７−２３４４０３号公報
【発明の開示】
【発明が解決しようとする課題】
【０００６】
特許文献１に示される非常灯は、天井直付け形の非常灯で、光源部をミニハロゲンランプと反射板で構成し、反射板の周囲の空間部にバッテリや点検スイッチ等の部品を収納している。特にモニターや点検スイッチは、反射板の中に設けたり反射板の反射面を通して引き出した場合、これら部品がランプの光を遮り光ロスが発生する。このため反射板を避けて反射板周囲の空間部から枠部材を介して外方に臨ませるように構成している。この結果、器具本体の周囲には必然的にこれら部品を収納するための空間部が必要となり、器具の直径寸法が大となり小型化に支障となっている。また外観上目立つ枠部材の領域が大きくなり、意匠性も低下する問題も生じる。
【０００７】
特許文献２に示される埋込形の非常灯においても、直付け形と同様の問題を有し、点検スイッチは枠部（化粧枠）から引き出して構成している。
【０００８】
特許文献３に示されている非常灯は、反射板を使用せずに光源部を発光ダイオードとレンズ体で構成し、反射板による小型化のための障害を解消できるものであるが、３個の光源を覆うようにして下カバー（化粧枠）を設け、下カバーに３個の光源の出射面に対向して、出射面と略同等の大きさの開口部形成している。
【０００９】
このため、下カバーの内面で光源の光の一部が遮られ、内面反射ロスが生じ易くなる。また、モニターや点検スイッチの引き紐は、下カバーを通じて外方に臨ませているため、光源からの横方向の光を遮る恐れがある。特に、光源に近い位置で光を遮るために影が投射されて暗部が形成されやすくなる。
【００１０】
本発明は、小型化が可能で、かつ光ロスの発生し難い照明装置を提供することを目的とする。
【課題を解決するための手段】
【００１１】
請求項１に記載の照明装置の発明は、一端部に開口部を有する器具本体と；開口部の周囲を覆う枠部材と；半導体発光素子からなる光源および光源に対向して配設された配光制御手段を有し、配光制御手段は前記開口部内に位置するように器具本体に設けられるとともに、枠部材の開口の略全体を覆うカバー部材を一体的に形成し、内表面全体に光拡散処理を施した光源部と；器具本体内に配設されるバッテリと；バッテリから直流電圧が入力されて光源を点灯させる点灯装置と；バッテリの充電状態を点灯状態により表示し、外方に突出させることなく前記器具本体内に収納し、かつ前記配光制御手段の光拡散処理を施した面側に対向して配設された報知手段と；光源が点灯することの確認を行い、操作部が器具本体の開口部内でかつ光源の光放射角よりも枠部材側に位置して配設した点検スイッチと；を具備することを特徴とする。
【００１２】
本発明の照明装置は、半導体発光素子からなる光源および光源に対向して配設された配光制御手段を有する光源部により、反射板による小型化のための障害を解消して小型化が可能となる。
【００１３】
また、外方に突出させることなく器具本体内に収納した報知手段および器具本体の開口部内でかつ光源の光放射角よりも枠部材側に位置して配設された点検スイッチの操作部により、光ロスの発生をし難くすることができる。
また、配光制御手段は、開口部内に位置するように器具本体に設けられるとともに、枠部材の開口の略全体を覆うカバー部材を一体的に形成し、内表面全体に光拡散処理を施し、報知手段は、配光制御手段の光拡散処理を施した面側に対向して配設したことにより、  平常時の報知手段の点灯により、カバー部材全体が明るく、かつ均一に発光する。これにより、バッテリの充電状態を従来のような点表示でなく、面で確実に表示することができ見やすくなるとともに、カバー部材全体が発光したアクセント照明を行うことができ、外観意匠的にも優れた照明装置を提供することができる。
【００１４】
本発明において、照明装置は、停電時に用いる非常灯が好適であるが、これらに限らず、バッテリを電源とする屋内、屋外の全ての照明装置に適用される。また、埋込形の照明装置であっても、直付け形や天吊り形等、他の設置手段で設置される照明装置であってもよい。
【００１５】
器具本体は、一端に開口部を有する円筒状のケース部材として構成しても、角筒状に構成しても、さらには枠体によってケース部材を構成してもよく、一端の開口部を有する全ての本体構成部材が許容される。材質は鉄、ステンレス、アルミニウム等の金属で構成しても、不燃性の合成樹脂で構成してもよい。
【００１６】
半導体発光素子は、発光ダイオードやＥＬ（エレクトロルミネッセンス）素子、半導体レーザーなど、半導体を発光源とした発光素子が許容される。また半導体発光素子は、１個の半導体発光素子を基板に配設して構成しても、複数個の半導体発光素子を直線または曲線等をなして配設し線モジュールとして構成しても、半導体発光素子をマトリックス状に配設して矩形状をなすように構成しても、さらには、複数個の半導体発光素子により点モジュールを構成するように円板状に構成してもよく、個数および配設される形状等は特定のものに限定されない。
【００１７】
配光制御手段は、照明装置として必要な配光特性を得るための光制御体で、透明なガラスまたはアクリル等の合成樹脂で形成されたレンズ体等が許容される。  
【００１８】
光源部は、半導体発光素子からなる光源と  レンズ体等の配光制御手段で構成されるが、反射体を設けたものを除外するものではなく、小型化を阻害しない機能を有する反射体を設けても差し支えない。
【００１９】
枠部材は、直付け形器具の場合には、器具外面を覆う外ケース部材であっても、埋込形の器具に合っては天井等の設置孔を塞ぐための化粧枠であってもよく、要は光源部の光を放射させるための開口と器具本体の開口部の周囲を覆うための全ての部材が許容され、材質は器具本体と同様に鉄、ステンレス、アルミニウム等の金属で構成しても、不燃性の合成樹脂で構成してもよい。器具本体と枠部材は、同様の材質で構成しても別の材質で構成してもよい。器具本体と枠部材は、一体に形成しても別体に形成してもよい。
【００２０】
点灯装置は、器具本体に配設されることが好ましいが、別置きができるように構成してもよい。
【００２１】
報知手段は、バッテリの充電状態を点灯状態により表示するもので、発光ダイオード等
、半導体発光素子からなるモニターで構成することが小型化のために好適であるが、豆電
球など小型のランプ等であってもよい。報知手段は、外方に突出させることなく器具本体内に収納し、レンズ体等の配光制御手段から放射される光を遮らない位置に配設されるが、例えば、モニターの先端とレンズ体の先端部との高さを同一またはモニターの先端を低くする手段で構成しても、レンズ体から放射される光の放射角の範囲を避けて配設するなどの手段で構成してもよい。
【００２２】
点検スイッチは、光源が点灯することの確認を行うのもで、その操作部は、引き紐が望
ましいがプッシュ式の押しボタンでも、シーソー式のボタンであってもよい。点検スイッ
チの操作部は、器具本体の開口部内でかつ光源の光放射角よりも枠部材側に位置して配設し、レンズ体等の配光制御手段から放射される光を遮らない位置に配設されるが、例えば、プッシュ式の押しボタンの先端とレンズ体の先端部との高さを同一または押しボタンの先端を低くする手段で構成してもよい。
【００２５】
本発明において、配光制御手段はカバー部材を一体的に形成するが、例えば、ガラスなどで一体成形したものが好適であるが、それぞれを別体に形成し、接着や嵌合等の手段で一体化したものであってもよく、要は報知手段の光を導入できる機能を有していればよい。
【００２６】
光拡散処理は、例えば、フロスト加工やシボ加工などでカバー部材の表面に凹部や凸部などを形成する手段が好適であるが、報知手段の光を拡散してカバー部材が光るように構成するための全ての手段が許容される。
【００２７】
請求項２記載の発明は、請求項１に記載の照明装置において、前記報知手段は、半導体発光素子であり、光源部の半導体発光素子と報知手段の半導体発光素子とが共通の基板に実装されていることを特徴とする。
【発明の効果】
【００２８】
請求項１記載の発明によれば、半導体発光素子からなる光源および光源に対向して配設
された配光制御手段を有する光源部により、反射板による小型化のための障害を解消して
小型化が可能となる。
また、外方に突出させることなく器具本体内に収納した報知手段および器具本体の開口部内でかつ光源の光放射角よりも枠部材側に位置して配設された点検スイッチの操作部により、小型化を達成すると共に、報知手段および点検スイッチの操作部による光ロスの発生をし難くすることが可能な照明装置を提供することができる。
また、配光制御手段は、開口部内に位置するように器具本体に設けられるとともに、枠部材の開口の略全体を覆うカバー部材を一体的に形成し、内表面全体に光拡散処理を施し、報知手段は、配光制御手段の光拡散処理を施した面側に対向して配設したことにより、  平常時の報知手段の点灯により、すなわち、報知手段の光を利用して、カバー部材全体が明るく、かつ均一に発光する。これにより、バッテリの充電状態を従来のような点表示でなく、面で確実に表示することができ見やすくなるとともに、カバー部材全体が発光したアクセント照明を行うことができ、外観意匠的にも優れた照明装置を提供することができる。
【００３１】
請求項２記載の発明によれば、報知手段は、半導体発光素子であり、光源部の半導体発
光素子と報知手段の半導体発光素子とが共通の基板に実装されているので、回路基板など
の１枚の基板に装着し、単独の組み立て部品として構成することができ、組み立て作業が
容易でかつ効率的に行うことができコスト的に有利な照明装置を提供することができる。
【発明を実施するための最良の形態】
【００３２】
以下、本発明に係る照明装置の実施形態について説明する。
【実施例１】
【００３３】
本実施例は、天井に設置される埋込形の非常灯を構成したもので、図１、図２に示すように、非常灯１０は、器具本体１１、光源１２および配光制御手段１３を有する光源部１４、枠部材１５、バッテリ１６、光源を点灯させる点灯装置１７、バッテリの充電状態を表示する報知手段１８で構成する。
【００３４】
器具本体１１は、アルミダイカスト製で、一端に開口部１１ａを有する円筒状のケース部材として構成され、開口部に光源部１４が配設され、円筒ケース内にバッテリ１６および点灯装置１７が収納され配設される。
【００３５】
器具本体１１の開口部１１ａには、化粧枠の機能を有する枠部材１５が嵌合され、開口部の周囲が覆われている。枠部材１５は、器具本体と同様にアルミダイカスト製で、断面が略Ｌ字状をなす枠部１５ａと枠の内側に形成される開口１５ｂからなり、器具本体１１の開口部１１ａに枠部１５ａが嵌め込まれ側方からネジ等の固定手段で支持固定される。
【００３６】
光源部１４は、光源１２および配光制御手段１３で構成する。光源は半導体発光素子、本実施例では、発光ダイオード１２（以下「ＬＥＤ」と称す）で構成し、ＬＥＤ１２は、本実施例では青色ＬＥＤチップとこの青色ＬＥＤチップにより励起される黄色蛍光体により白色を発光する高輝度、高出力のＬＥＤからなり、このＬＥＤ１２は、一方向、すなわちＬＥＤの光軸ｏ−ｏ方向に光線が主として放射される。ＬＥＤ１２は複数個、本実施例では４個用意され、円板状の回路基板からなる基板１２ａ上に同一半径を有する円の上に沿って略等間隔に配置され実装されて支持される。
【００３７】
配光制御手段は、図２に示すように、入射面１３ａと出射面１３ｂを有する円形皿状をなすガラス製のレンズ体１３で構成され、入射面の中央部に凹部１３ｃが形成され、出射面１３ｂの内面には、断面が凹凸をなすリング状の凹凸部１３ｄが略同心円状に多数形成されている。この構成を有するレンズ体は各ＬＥＤに対応して４個用意される。
【００３８】
レンズ体１３には、上記ＬＥＤ１２の基板１２ａと略同一の直径寸法を有する円板状の導光板の役目をなすカバー部材１３ｅが一体に形成され、４個のレンズ体１３が円板状のカバー部材の上に同一半径を有する円の上に沿って略等間隔に配置されて一体に成形される。レンズ体１３が配置される円とＬＥＤ１２が配置される円の半径は同一若しくは略同一に形成する。これにより、レンズ体１３と一体になった円形のカバー部材１３ｅと、ＬＥＤ１２の基板１２ａを重ね合わせることにより、レンズ体１３の入射面である凹部１３ｃにＬＥＤ１２が収納される。この際、各ＬＥＤ１２の光軸ｏ−ｏと、各レンズ体１３の光軸ｘ−ｘが略一致するように配設される。
【００３９】
上記に重ね合わされて構成されたＬＥＤ１２の基板１２ａとレンズ体１３のカバー部材１３ｅは、ネジ等の固定手段で一体に組み立てられ、光源であるＬＥＤ１２とレンズ体１３からなる光源部１４が構成される。
【００４０】
光源部１４を構成するＬＥＤ１２の基板１２ａとレンズ体１３のカバー部材１３ｅの直径寸法は略等しく、かつ前記枠部材１５の開口１５ｂを塞ぎ全体を覆う大きさの直径寸法を有しており、カバー部材１３ｅを枠部材１５の開口１５ｂの内面に形成された段部１５ｃに嵌め込み接着等の固定手段で光源部１４全体を枠部材１５に固定し、枠部材を介して光源部１４が器具本体１１に支持される。この状態で、レンズ体の出射面１３ｂの先端部分は、枠部材１５の外表面、本実施例では下面から所定の寸法ａ、本実施例では約３ｍｍレンズ体の先端部が突出するように構成する（図３）。
【００４１】
また、ＬＥＤ１２を実装した回路基板を構成する基板１２ａの略中央部には、報知手段、本実施例では、砲弾形の緑色ＬＥＤからなるモニター１８が、その発光部を外面、本実施例では下面から突出させて実装される。これにより、光源部１４のＬＥＤ１２とモニター１８のＬＥＤが共通の１枚の基板１２ａに実装される。また、カバー部材１３ｅの略中央部に円形の貫通孔１３ｆを形成し、突出した砲弾形のＬＥＤの発光部分を挿入する。
【００４２】
また、ＬＥＤ１２を実装した回路基板を構成する基板１２ａの外周部分には、点検スイッチ２０が装着され、また、カバー部材１３ｅには点検スイッチに対向する位置に貫通孔１３ｈを形成し、点検スイッチ２０の押しボタンからなる操作部２０ａを挿入して操作部２０ａの先端部をカバー部材１３ｅの外表面、本実施例では下面から突出させ外部から操作ができるように構成する。これにより、光源部１４のＬＥＤ１２、モニター１８のＬＥＤ、点検スイッチ２０が共通の１枚の基板１２ａに実装される。
【００４３】
上記に構成したモニター１８および点検スイッチの操作部２０ａは、前記枠部材１５の開口１５ｂ内でかつ光源部１４のレンズ体１３から放射される光を遮らない位置に配設する。すなわち、レンズ体１３のカバー部材１３ｅの外表面からの突出する高さ寸法ｂよりも、モニター１８および操作部２０ａがカバー部材１３ｅの外表面から突出する高さ寸法を小さくしてレンズ体１３の側面から放射される光を極力遮らないようにする。
【００４４】
さらに、本実施例では、レンズ体１３から光が放射される配光角度Ｒ１、本実施例では
レンズ体１３の光軸ｘ−ｘを中心とした左右６０°（合計で１２０°）の範囲、図２中、斜線の部分にモニター１８および点検スイッチ２０の操作部２０ａが位置しないように、枠部材１５側に位置して配設し、光源部１４のレンズ体１３から放射される光を遮らないようにする。
【００４５】
また、モニター１８および点検スイッチ２０の操作部２０ａは、従来のように反射板を避けて反射板周囲の空間部から枠部材を介して外方に臨ませることなく、枠部材１５の開口１５ｂ内に配置して構成する。これにより、モニター１８および点検スイッチ２０の操作部２０ａを収納するために器具本体１１の直径を大となす必要がなくなり器具本体は小型に構成される。
【００４６】
因みに、上記に構成された非常灯１０は、図３に示すように、化粧枠となる枠部材１５の直径寸法Ｄ１が約８５ｍｍ、器具本体１１の直径寸法Ｄ２が約７５ｍｍ、消費電力が５ＷのＡＣ１００Ｖで駆動する小型の非常灯として構成される。
【００４７】
さらに、バッテリ１６、バッテリにより光源を点灯させる点灯装置１７は、器具本体１１の円筒ケース内に、光源部１４の上方に順次位置させて支持部材１１ｂに支持させて配設し収納する。
【００４８】
図中２１は、器具本体１１を天井等の被設置面Ｔに支持するための支持具で、ステンレスの板材をプレス加工して形成した略Ｌ字形の２枚の板バネからなり、Ｌ字の垂直部分を器具本体１１の外側面に、径方向に対向して位置させてネジ等で固定する。
【００４９】
この板バネからなる支持具２１は、互いに内方に撓まされた状態で器具本体１１と共に、天井面Ｔの設置孔Ｘに挿入され、挿入後は自らの弾性により元の状態に復帰して設置孔の内面に圧接し、その圧接力により器具本体１１を天井面Ｔに固定する（図３）。なお、取り外す場合には、上記と逆の操作を行う。
【００５０】
点灯装置１７は、図４に示すように、点灯ユニット３０内に設けられている。点灯ユニットは、さらに充電回路３１、切換回路３２が設けられ、点検スイッチ２０および充電表示用のモニター１８が配設されている。そして、充電回路３１に接続されている電源線３５、３５が導出され、この電源線は電源端子３６、３６を介して商用交流電源Ｖｓに接続されている。また、充電回路３１または点灯装置１７と電気的に接続されるリード線３７、３７が導出され、このリード線は、コネクタ３８およびヒューズＦ１を介してバッテリ１６に接続されている。さらに、点灯装置１７に接続されているランプ線３９、３９が導出されており、このランブ線は、光源部１４の各ＬＥＤ１２に接続されている。
【００５１】
充電回路３１は、バッテリ１６を充電するように構成されている。そして、バッテリが充電状態になると、充電表示用のモニター１８が点灯する。切換回路３２は、停電時に、バッテリ１６と点灯装置１７が接続されるようにして、バッテリ電圧が点灯装置１７に入力されるように構成されている。また、点検スイッチ２０の操作部２０ａを押すと、点検スイッチ２０がバッテリ１６と点灯装置１７を接続するようにしている。これにより、停電時に、各ＬＥＤ１２が点灯することの確認がなされる。
【００５２】
上記に構成された非常灯１０は、図３に示すように、廊下や通路等の天井面Ｔに沿い、所定の間隔を有して複数台が埋め込まれて設置される。
【００５３】
すなわち、天井面Ｔの所定の位置に円形の設置孔Ｘを予め形成する。この際、器具本体１１は上述したように器具本体１１の直径寸法Ｄ２がわずか約７５ｍｍの小型に構成されているので、小さな設置孔で済み施工が容易となる。
【００５４】
次に、電源端子３６、３６を介して商用交流電源Ｖｓに配線接続する。次に、上記のように商用交流電源Ｖｓに配線した状態で、器具本体１１の板バネからなる支持具２１を手で内方に撓ませて器具本体と共に設置孔Ｘに挿入し、枠部材１５のＬ字の枠部１５ａの上面を天井面Ｔに当接させ位置を決める。位置が決まった状態で支持具２１から手を離す。これにより板バネが自らの弾性により元の状態に復帰して設置孔Ｘの内面に圧接し、その圧接力により器具本体１１が天井面Ｔに固定される。設置孔Ｘの切り口は化粧枠の作用をなす枠部材１５によって綺麗に覆われる。
【００５５】
上記に設置された状態で、器具本体１１は、廊下や通路の長手方向の中心線上に位置するように設置され、各光源部１４のレンズ体１３の出射面１３ｂが下方、すなわち床面に面し、さらにモニター１８と点検スイッチ２０の操作部２０ａが床面に臨んだ状態になる。
【００５６】
次に上記に構成され設置された非常灯１０の作用につき説明する。停電状態になると、点灯装置１７にバッテリ１６から直流電圧が入力され、光源部１４の各ＬＥＤ１２が点灯され、器具本体１１の両側から廊下や通路のそれぞれの長手方向に沿う照明領域の床面が照明される。この際、レンズ体１３の出射面１３ｂの先端部分は、枠部材１５の下面から所定の寸法ａ、本実施例では約３ｍｍ突出しているので、化粧枠をなす枠部材１５に光が遮られることなく、室内に向けて照明を確実に行うことができる。
【００５７】
同時に、モニター１８および点検スイッチ２０の操作部２０ａは、枠部材１５の開口１５ｂ内でかつ光源部１４のレンズ体１３から放射される光を遮らない位置、すなわち、レンズ体１３のカバー部材１３ｅの外表面からの突出する高さ寸法ｂよりも、モニター１８および点検スイッチ２０の操作部２０ａがカバー部材１３ｅの外表面からの突出する高さ寸法を小さくし、さらにレンズ体１３から光が放射される放射角度Ｒ１、図１中、斜線の部分にモニター１８および点検スイッチ２０の操作部２０ａが位置しないように、枠部材１５側に位置して配設してあるので、レンズ体１３の側面から放射される光が遮られることがない。これにより、非常灯として必要な１１ｘ以上の明るさで、十分でかつ確実に所定の明るさを確保することができる。
【００５８】
また、平常時には、砲弾形の緑色ＬＥＤからなるモニター１８が点灯してバッテリ１６の充電状態を表示する。
【００５９】
なお、器具本体１１に収納されたバッテリ１６、点灯装置１７の電気部品等、さらには光源部１４のＬＥＤ１２から発生する熱はアルミニウムからなる器具本体を介して効果的に外部に放熱され、各電気部品の信頼性を高めることができる。特に、温度上昇によって各ＬＥＤの光束が低下することなく長期にわたり所定照度の照明を確実に行うことができる。
【００６０】
以上、本実施例の非常灯１０によれば、モニター１８および点検スイッチ２０の操作部２０ａは、従来のように反射板を避けて反射板周囲の空間部から枠部材を介して外方に臨ませることなく、枠部材１５の開口１５ｂ内に配置して構成したので、器具本体１１の直径を大となす必要がなくなり器具の小型化を達成することができ、設置環境の雰囲気を壊すことなく外観意匠的に優れ、またコスト的にも有利な非常灯を提供することができる。
【００６１】
レンズ体１３の出射面１３ｂの先端部分は、枠部材１５の下面から所定の寸法ａ、本実施例では約３ｍｍ突出させて構成したので、化粧枠をなす枠部材１５に光が遮られることなく、廊下や通路の長手方向に向けた照明を効果的に行うことができる。また、従来のように、器具本体の下カバー内面で光源部の光の一部が遮られることもなく内面反射ロスが生じない高効率の非常灯を提供することができる。
【００６２】
モニター１８および点検スイッチ２０の操作部２０ａがカバー部材１３ｅの外表面からの突出する高さ寸法は、レンズ体１３のカバー部材１３ｅの外表面から突出する高さ寸法ｂより小さくしたので、レンズ体１３の側面から放射される光が遮られることがなく、十分でかつ確実に所定の明るさを確保することができる。
【００６３】
モニター１８および点検スイッチ２０の操作部２０ａは、レンズ体１３から光が放射される放射角度内に位置しないように枠部材１５側に位置して配設したので、レンズ体１３の側面から放射される光が遮られることがなく、十分でかつ確実に所定の明るさを確保することができる。
【００６４】
光源部１４は、４個のレンズ体１３を円板状のカバー部材１３ｅと一体に形成し、さらに４個のＬＥＤ１２が実装された基板１２ａを重ね合わせることにより構成したので、光学部品は、一体に成形、または一体に組み込みで構成したので、光学系に狂いが生じ難くなり高性能の非常灯を提供することができる。特に４個のレンズ体１３は、カバー部材１３ｅと共に一体成形により同時に構成されるのでコスト的にさらに有利となる。
【００６５】
光源となるＬＥＤ１２、モニター１８および点検スイッチ２０は、１枚の回路基板からなる基板１２ａに全て装着したので、単独の組み立て部品として構成することができ、組み立て作業が容易でかつ効率的に行うことができコスト的にさらに有利になる。
【００６６】
以上、本実施例の照明装置において、天井埋込形の非常灯を構成したが、図５に示すように、直付け形の非常灯を構成してもよい。すなわち、枠部材からなる外ケース部材１５の開口１５ｂ内にモニター１８および点検スイッチ２０の操作部２０ａを配設し、さらに、上記と同様に、光源部１４のレンズ体１３から放射される光を遮らないように位置させて構成する。
【００６７】
モニター１８は、砲弾形の緑ＬＥＤで構成し緑色で充電状態を表示したが、赤、青、黄色等他の色を発光させて表示するようにしてもよい。ＬＥＤは砲弾形に限らず表面実装形等、他の形式のＬＥＤでもよい。
【実施例２】
【００６８】
本実施例は、報知手段であるモニターを外方に突出させることなく器具本体内に収納して配光制御手段であるレンズ体１３から放射される光を遮らないように構成したもので、図６に従いその構成を説明する。なお、図６には、実施例１における図１〜図５と同一部分に同一の符号を付してその詳細な説明は省略する。
【００６９】
図６に示すように、実施例１の非常灯１０において、ＬＥＤ１２を実装した回路基板を構成する基板１２ａの略中央部に、表面実装形の緑色ＬＥＤからなるモニター１８を、その発光部を基板１２ａの外面、本実施例では下面から突出させずに実装する。
【００７０】
また、カバー部材１３ｅには貫通孔１３ｆを形成せずに、中央部、すなわちモニター１８の光を導入する部分に、断面が略三角形をなす円錐形状の凹部１３ｉを一体に成形する。さらに、カバー部材１３ｅには、モニター１８に対向する面側の内表面全体にフロスト加工やシボ加工などで凹凸部を形成することにより光拡散処理１３ｇを施す。
【００７１】
上記構成によれば、平常時のモニター１８の点灯により、円錐形状の凹部１３ｉからモニターの光が導入され、図６（ｂ）中矢印で示すように光が反射、屈折されてカバー部材全体に導入され、カバー部材全体が緑色に発光する。さらにカバー部材の内表面に当たった光が光拡散処理１３ｇにより拡散されて導入され、カバー部材全体がさらに明るく、かつ均一に緑色に発光する。
【００７２】
これにより、バッテリ１６の充電状態を従来のような点表示でなく、面で確実に表示することができ見やすくなると共に、カバー部材全体が緑色に発光したアクセント照明を行うことができる。特に、カバー部材１３ｅの光拡散処理１３ｇにより光が拡散され、良好なアクセント照明を行うことができるので、一層外観意匠的に優れた非常灯を提供することができる。
【００７３】
本実施例によれば、モニターは外方に突出させることなく器具本体内に収納されて配設されるので、レンズ体１３から放射される光を遮らないので、より一層、光りロスのない非常灯を提供することができる。
【００７４】
本実施例の照明器具においても、直付け形の非常灯を構成するようにしてもよい。その他、本実施例における他の構成、作動、作用効果、変形例等は、実施例１と同様である。
【００７５】
以上、本発明の好適な実施形態を説明したが、本発明は上述の各実施例に限定されることなく、本発明の要旨を逸脱しない範囲内において、種々の設計変更を行うことができる。
【図面の簡単な説明】
【００７６】
【図１】本発明の第一の実施形態に係る非常灯を示す斜視図。
【図２】同じく非常灯を示す図１Ａ−Ａ線に沿う断面図。
【図３】同じく非常灯を天井面に設置した状態を示す一部を断面した側面図。
【図４】同じく非常灯の内部配線図。
【図５】同じく非常灯の変形例を示す斜視図。
【図６】本発明の第二の実施形態に係る非常灯を示し、（ａ）は図２に相当する断面図、（ｂ）は（ａ）の要部を拡大して示す断面図。
【符号の説明】
【００７７】
１０  照明装置（非常灯）
１１  器具本体
１１ａ  開口部
１２  光源（半導体発光素子）
１２ａ  基板
１３  配光制御手段
１３ｅ  カバー部材
１３ｇ  光拡散処理
１４  光源部
１５  枠部材
１５ｂ  開口
１６  バッテリ
１７  点灯装置
１８  報知手段
２０  点検スイッチ
２０ａ  操作部
【図１】
0005142018.tif 000002
【図２】
0005142018.tif 000003
【図３】
0005142018.tif 000004
【図４】
0005142018.tif 000005
【図５】
0005142018.tif 000006
【図６】
0005142018.tif 000007